(57)【要約】【課題】電源オフ状態において表示させる情報にバリエーションを増大させることができる携帯型表示端末及びプログラムを提供する。【解決手段】携帯型表示端末は、電源からの電力供給が断たれたときでも表示を維持する不揮発性表示部を備えている。携帯型表示端末は、不揮発性表示部を駆動して、不揮発性表示部に情報を表示する。携帯型表示端末は、電源オフ状態のときにおいて、所定のタイミングで繰り返し電源オフ状態から電源オン状態に移行して不揮発性表示部に表示する情報を変更する。【選択図】図７
2010039372.tif 000002
【特許請求の範囲】
【請求項１】
電源からの電力供給が断たれたときでも表示を維持する不揮発性表示部と、
前記不揮発性表示部を駆動して、前記不揮発性表示部に情報を表示する制御部と、を備え、
前記制御部は、電源オフ状態のときにおいて、所定のタイミングで繰り返し電源オフ状態から電源オン状態に移行して前記不揮発性表示部に表示する情報を変更することを特徴とする携帯型表示装置。
【請求項２】
前記制御部は、電源オフ状態のときにおいて、予め設定されている時間又は期間を前記所定のタイミングとして、電源オフ状態から電源オン状態に移行して前記不揮発性表示部に表示する情報を変更することを特徴とする請求項１に記載の携帯型表示装置。
【請求項３】
前記制御部は、前記所定のタイミングで電源オフ状態から電源オン状態に移行した後に、前記不揮発性表示部に表示する情報が記憶された外部装置に前記変更する情報の取得を要求して、前記外部装置から前記変更する情報を取得し、前記不揮発性表示部に表示する情報を変更することを特徴とする請求項１又は２に記載の携帯型表示装置。
【請求項４】
前記制御部は、電源オフ状態のときにおいて、前記不揮発性表示部に表示する情報が記憶された外部装置から前記変更する情報を受信した場合に前記所定のタイミングとなったと判定して、電源オフ状態から電源オン状態に移行して当該変更する情報を取得し、前記不揮発性表示部に表示する情報を変更することを特徴とする請求項１に記載の携帯型表示装置。
【請求項５】
前記操作部の操作に応じて指定され、電源オフ状態のときに前記不揮発性表示部に表示する複数の情報を記憶可能とした表示情報記憶部を備え、
前記制御部は、電源オフ状態において、前記所定のタイミングで繰り返し、前記表示情報記憶部に記憶された複数の情報から前記不揮発性表示部に表示する情報を選択して前記不揮発性表示部に表示することを特徴とする請求項１又は２に記載の携帯型表示装置。
【請求項６】
前記制御部は、電源オン状態から電源オフ状態へ移行する際に、前記表示情報記憶部に記憶された複数の情報のうち、当該移行直前の電源オン状態において前記不揮発性表示部に表示している情報に関連する情報を前記不揮発性表示部に表示することを特徴とする請求項５に記載の携帯型表示装置。
【請求項７】
前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とする請求項６に記載の携帯型表示装置。
【請求項８】
請求項１から７のいずれかに記載の携帯型表示装置における前記制御部の機能をコンピュータに実行させるプログラム。
【発明の詳細な説明】
【技術分野】
【０００１】
本発明は、携帯型表示端末及びプログラムに関するものであり、電源からの電力供給が断たれたときでも表示を維持する携帯型表示端末及びプログラムに関するものである。
【背景技術】
【０００２】
従来、電源からの電力供給が断たれたときにおいても表示状態を保持する不揮発性表示部を備えた電子ペーパー等の携帯型表示端末が使用されている（例えば、特許文献１参照）。このような携帯型表示端末では、電源オン状態から電源オフ状態となる直前において不揮発性表示部に表示されている情報をそのまま維持することによって、電源オン状態から電源オフ状態に移行した後においても、表示されていた情報をユーザに対して閲覧可能に表示させることができる。例えば、あるコンテンツ情報を表示させた状態において、電源オン状態から電源オフ状態となった場合には、その表示されているコンテンツ情報をそのまま維持し、表示させ続けることができる。
【０００３】
一方、セキュリティ等の関係で、電源オン状態から電源オフ状態に移行した直前に不揮発性表示部において表示されていた情報を消去し、「電源オフしました」というような文字情報を表示させる白紙表示を行う携帯型表示端末も一般に販売されている。
【特許文献１】特開２００７−１８７９２７号公報
【発明の開示】
【発明が解決しようとする課題】
【０００４】
しかしながら、上述したような携帯型表示端末では、電源オン状態から電源オフ状態へ移行する場合において、その電源オフ状態へ移行する直前に表示されているコンテンツ情報を表示するか、上述した白紙表示を行わせるかであったが、電源オフ状態においては、情報の表示を一定に維持することとなり、電源オフ状態において表示させる情報にバリエーションが少ない。
【０００５】
本発明は、上述したような課題に鑑みてなされたものであり、電源オフ状態において表示させる情報にバリエーションを増大させることができる携帯型表示端末及びプログラムを提供することを目的とする。
【課題を解決するための手段】
【０００６】
以上のような目的を達成するために、本発明は、以下のようなものを提供する。
【０００７】
すなわち、請求項１記載の本発明では、電源からの電力供給が断たれたときでも表示を維持する不揮発性表示部と、前記不揮発性表示部を駆動して、前記不揮発性表示部に情報を表示する制御部と、を備え、前記制御部は、電源オフ状態のときにおいて、所定のタイミングで繰り返し電源オフ状態から電源オン状態に移行して前記不揮発性表示部に表示する情報を変更することを特徴とするものである。
【０００８】
また、請求項２記載の本発明では、請求項１に記載の発明において、前記制御部は、電源オフ状態のときにおいて、予め設定されている時間又は期間を前記所定のタイミングとして、電源オフ状態から電源オン状態に移行して前記不揮発性表示部に表示する情報を変更することを特徴とするものである。
【０００９】
また、請求項３記載の本発明では、請求項１又は２に記載の発明において、前記制御部は、前記所定のタイミングで電源オフ状態から電源オン状態に移行した後に、前記不揮発性表示部に表示する情報が記憶された外部装置に前記変更する情報の取得を要求して、前記外部装置から前記変更する情報を取得し、前記不揮発性表示部に表示する情報を変更することを特徴とするものである。
【００１０】
また、請求項４記載の本発明では、請求項１に記載の発明において、前記制御部は、電源オフ状態のときにおいて、前記不揮発性表示部に表示する情報が記憶された外部装置から前記変更する情報を受信した場合に前記所定のタイミングとなったと判定して、電源オフ状態から電源オン状態に移行して当該変更する情報を取得し、前記不揮発性表示部に表示する情報を変更することを特徴とするものである。
【００１１】
また、請求項５記載の本発明では、請求項１又は２に記載の発明において、前記操作部の操作に応じて指定され、電源オフ状態のときに前記不揮発性表示部に表示する複数の情報を記憶可能とした表示情報記憶部を備え、前記制御部は、電源オフ状態において、前記所定のタイミングで繰り返し、前記表示情報記憶部に記憶された複数の情報から前記不揮発性表示部に表示する情報を選択して前記不揮発性表示部に表示することを特徴とするものである。
【００１２】
また、請求項６記載の本発明では、請求項５に記載の発明において、前記制御部は、電源オン状態から電源オフ状態へ移行する際に、前記表示情報記憶部に記憶された複数の情報のうち、当該移行直前の電源オン状態において前記不揮発性表示部に表示している情報に関連する情報を前記不揮発性表示部に表示することを特徴とするものである。
【００１３】
また、請求項７記載の本発明では、請求項６に記載の発明において、前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とするものである。
【００１４】
また、請求項８記載の本発明では、請求項１から７のいずれかに記載の携帯型表示端末における前記制御部の機能をコンピュータに実行させるものである。
【発明の効果】
【００１５】
また、請求項１に係る発明では、電源オフ状態のときにおいて、所定のタイミングで繰り返し電源オフ状態から電源オン状態に移行して不揮発性表示部に表示する情報を変更する。従って、電源オフ状態であっても、所定のタイミングで電源オン状態に移行して、表示させる情報を変更させることができ、電源オフ状態において表示させる情報にバリエーションを増大させることができる。
【００１６】
また、請求項２に係る発明では、電源オフ状態のときにおいて、予め設定されている時間又は期間を所定のタイミングとして、電源オフ状態から電源オン状態に移行して不揮発性表示部に表示する情報を変更する。従って、情報を変更させるタイミングを、予め時間又は期間として設定するため、ユーザに時間又は期間を認識させることができ、更に、例えば、スケジュール、カレンダ、カウントダウン等、時間又は期間毎に変更することによって、利便性も高い。
【００１７】
また、請求項３に係る発明では、所定のタイミングで電源オフ状態から電源オン状態に移行した後に、不揮発性表示部に表示する情報が記憶された外部装置に変更する情報の取得を要求して、外部装置から変更する情報を取得し、不揮発性表示部に表示する情報を変更する。従って、外部装置への要求によって、変更する情報を取得し、不揮発性表示部に表示する情報を変更することとなり、外部装置において記憶されている情報にも変更可能となり、電源オフ状態において表示させる情報にバリエーションを増大させることができ、更に簡便である。
【００１８】
また、請求項４に係る発明では、電源オフ状態のときにおいて、不揮発性表示部に表示する情報が記憶された外部装置から変更する情報を受信した場合に所定のタイミングとなったと判定して、電源オフ状態から電源オン状態に移行してその変更する情報を取得し、不揮発性表示部に表示する情報を変更する。従って、外部装置からの情報の受信によって、変更する情報を取得し、不揮発性表示部に表示する情報を変更することとなり、外部装置において記憶されている情報にも変更可能となり、電源オフ状態において表示させる情報にバリエーションを増大させることができ、更に簡便である。
【００１９】
また、請求項５に係る発明では、電源オフ状態において、所定のタイミングで繰り返し、電源オフ状態のときに不揮発性表示部に表示する複数の情報から、不揮発性表示部に表示する情報を選択して不揮発性表示部に表示する。従って、電源オフ状態においても、複数の情報からいずれかを選択することができ、電源オフ状態において表示させる情報にバリエーションを増大させることができる。
【００２０】
また、請求項６に係る発明では、電源オン状態から電源オフ状態へ移行する際に、記憶された複数の情報のうち、その移行直前の電源オン状態において不揮発性表示部に表示している情報に関連する情報を不揮発性表示部に表示する。従って、ユーザが視認していた情報に関連する情報を表示することによって、電源オン状態と電源オフ状態とで関連性を持たせることができる。
【００２１】
また、請求項７に係る発明では、不揮発性表示部に表示している情報に関連する情報は、不揮発性表示部に表示している情報が記憶されているフォルダに格納されている情報、又は、不揮発性表示部に表示している情報と同じ情報種別の情報である。従って、不揮発性表示部に表示している情報が記憶されているフォルダに格納されている情報、又は、不揮発性表示部に表示している情報と同じ情報種別の情報に関連する情報を表示させることができ、そのフォルダや情報種別毎に、関連する情報を設定可能であり、簡便である。
【発明を実施するための最良の形態】
【００２２】
以下、本発明の一の実施の形態について図面を参照して説明する。
【００２３】
尚、本発明は、電源オン状態から電源オフ状態に移行する際における制御に関するものであり、以下の実施形態における携帯型表示端末１に採用する。
【００２４】
まず、図１を参照して、携帯型表示端末１の外観及び主な動作について説明する。図１は、携帯型表示端末１の正面図である。
【００２５】
図１に示すように、携帯型表示端末１は、略直方体形状をしており、その正面には電気泳動表示装置２１が設けられている。また、図１において図示しないが、携帯型表示端末１の右側面には、メモリカード２３（図２参照）を挿入するためのカードスロットが設けられている。携帯型表示端末１では、メモリカード２３に記憶されているコンテンツを電気泳動表示装置２１に表示させることができる。尚、本実施の形態における「コンテンツ」では、文字、静止画像及び動画のうちの少なくとも１つを表示することができる。そして、「コンテンツ」は、文字を表示させるためのデータ，画像を表示させるためのデータ及び動画を表示させるためのデータのうちの少なくとも１つのデータで構成される。
【００２６】
そして、電気泳動表示装置２１の右側には、ユーザによって操作可能な操作部としての操作キー１４が設けられている。決定キー１４５の上下左右にはそれぞれ、上キー１４１，下キー１４２，左キー１４４，右キー１４３が設けられている。例えば、上キー１４１及び下キー１４２は目次画面やメニュー画面においてコンテンツを選択するためのキーであり、左キー１４４及び右キー１４３は表示されているコンテンツのページめくりを行うためのキーである。これらの操作キー１４を電気泳動表示装置２１に表示されている情報に応じて操作することにより、メモリカード２３に記憶されているコンテンツを表示させたり、各種設定の指示がなされたりする。
【００２７】
また、操作キー１４の下部には電源ボタン１５が設けられている。電源ボタン１５は、携帯型表示端末１の電源の入り切りを指示するキーである。
【００２８】
次に、図２を参照して、携帯型表示端末１の電気的構成について説明する。図２は、携帯型表示端末１の電気的構成を示す模式図である。
【００２９】
図２に示すように、携帯型表示端末１には、制御部としてのＣＰＵ１０と、表示コントローラ１１と、充電コントローラ１２と、メモリカードインタフェース（Ｉ／Ｆ）１３と、操作キー１４と、電源ボタン１５と、ＲＯＭ１６と、ＲＡＭ１７と、ＥＥＰＲＯＭ１８と、ＲＴＣ１９と、通信コントローラ２４が設けられている。
【００３０】
ＣＰＵ１０は携帯型表示端末１の制御を司り、特に、電気泳動表示装置２１（不揮発性表示部）を駆動して、情報を表示する。ＲＯＭ１６は、各種情報及び携帯型表示端末１を動作させる表示端末プログラムが記憶されている。ＲＡＭ１７は各種のデータを一時的に記憶するメモリであり、ＥＥＰＲＯＭ１８は、携帯型表示端末１の識別番号等を記憶した不揮発性メモリである。ＲＴＣ（Ｒｅａｌ  Ｔｉｍｅ  Ｃｌｏｃｋ）１９は、時間を計測する。そして、表示コントローラ１１は、電気泳動表示装置２１（図１参照）への情報の表示を制御する。メモリカードＩ／Ｆ１３は、メモリカード２３からの情報の読み取り、書き込みを制御する。そして、通信コントローラ２４は、通信部２５を制御し、サーバ３００などの他の装置と通信可能とする。尚、携帯型表示端末１は、図示外の外部電源から電力供給を受けていない場合には、バッテリ２２の電力で駆動される。バッテリ２２又は外部電源からの電力供給経路は、ＣＰＵ１０に対するものと、ＲＯＭ１６，ＲＡＭ１７，ＥＥＰＲＯＭ１８，表示コントローラ１１といった周辺装置に対するものとの２系統ある。そして、充電コントローラ１２は、バッテリ２２への外部電源からの充電を制御する。
【００３１】
また、この携帯型表示端末１では、電源ボタン１５の押下により電源の入り切りを指示できる。電源が切られている状態で電源ボタン１５が押下されたり、操作キー１４が押下されたりすると、「電源投入」の指示とされ、ＣＰＵ１０及び周辺機器への電力供給が行われ、携帯型表示端末１は稼働状態となる。一方、電源が入っている状態で電源ボタン１５が押下されると、「電源切断」の指示とされ、電源を切るための処理が行われて、ＣＰＵ１０及び周辺機器への電力供給が断たれる。また、ユーザからの操作が所定時間（電源オフ設定時間）行われなかった場合にも、携帯型表示端末１は使用されていない状態であるとして、電源を切るための処理が行われて、ＣＰＵ１０及び周辺機器への電力供給が断たれる。
【００３２】
尚、本実施形態における電源オフ状態とは、バッテリ２２からの電源が携帯型表示端末１に供給可能な状態であっても、電源ボタン１５の押下、所定時間の未操作等の特定の操作により、電気泳動表示装置２１、ＣＰＵ１０、周辺装置（ＲＡＭ１７，表示コントローラ１１などの各コントローラ等）などの少なくともいずれかへの電源を供給できない状態である。尚、本実施形態においては、電源オフ状態は、充電不足やバッテリ２２自体の未装填等が原因で、バッテリ２２からの電源が携帯型表示端末１に供給不可能な状態を含まない。具体的には、電源オフ状態とは、下記の（ａ）から（ｄ）いずれか、もしくは複数の状態である。（ａ）ユーザが電源ボタン押下等の特定の操作により、明示的に電源オフした状態（指定時間経過したら、電源オフ設定による電源オフ操作も含む）。（ｂ）表示部への電力供給を停止している状態。（ｃ）周辺装置(ＲＡＭ、各コントローラ等）への電力供給を停止している状態。（ｄ）ＣＰＵへの電力供給を停止している状態。
【００３３】
電気泳動表示装置２１は、不揮発性の不揮発性表示部であり、電気泳動表示装置２１への電力供給が断たれても表示状態を保持することができる。つまり、この電気泳動表示装置２１は、電源からの電力供給が断たれたときでも表示を維持する。このため、電源オフ状態であっても維持（保持）された情報を視認可能となり、省電力を図ることもできる。
【００３４】
また、この携帯型表示端末１は、外部端末２００とメモリカード２３を介してデータの読み書きが可能である。この外部端末２００は、携帯型表示端末１に対して文書などのコンテンツ本体や、そのコンテンツに関連する情報などを供給することとなる。
【００３５】
外部端末２００には、制御部としてのＣＰＵ２１０と、表示コントローラ２１１と、メモリカードインタフェース（Ｉ／Ｆ）２１３と、操作部２１４と、ＲＯＭ２１６と、ＲＡＭ２１７と、ハードディスクドライブ（ＨＤＤ）２１８とが設けられている。
【００３６】
ＣＰＵ２１０は外部端末２００の制御を司る。ＲＯＭ２１６は、各種情報及び外部端末２００を動作させる表示端末プログラムが記憶されている。ＲＡＭ２１７は各種のデータを一時的に記憶するメモリであり、ＨＤＤ２１８は、外部端末２００の各種情報を記憶する不揮発性の記憶媒体である。そして、表示コントローラ２１１は、表示装置２２１への情報の表示を制御する。メモリカードＩ／Ｆ２１３は、メモリカード２３からの情報の読み取り、書き込みを制御する。
【００３７】
この外部端末２００は、メモリカード２３を介して、携帯型表示端末１におけるコンテンツを供給するために用いられるが、特に、コンテンツに対応する設定を行うためにも用いられる。
【００３８】
また、この携帯型表示端末１は、サーバ３００と通信網（図示せず）を介して通信可能である。このサーバ３００は、携帯型表示端末１に対して文書などのコンテンツ本体や、そのコンテンツに関連する情報などを供給することとなる。
【００３９】
サーバ３００には、制御部としてのＣＰＵ３１０と、ＲＯＭ３１６と、ＲＡＭ３１７と、ハードディスクドライブ（ＨＤＤ）３１８と、通信コントローラ３２４と、が設けられている。
【００４０】
ＣＰＵ３１０はサーバ３００の制御を司る。ＲＯＭ３１６は、各種情報及びサーバ３００を動作させるプログラムが記憶されている。ＲＡＭ３１７は各種のデータを一時的に記憶するメモリであり、ＨＤＤ３１８は、サーバ３００の各種情報を記憶する不揮発性の記憶媒体である。そして、通信コントローラ３２４は、通信部３２５を制御し、携帯型表示端末１などの他の装置と通信可能とする。
【００４１】
このサーバ３００は、通信網（図示せず）を介して、携帯型表示端末１におけるコンテンツを供給するために用いられるが、特に、そのコンテンツに対応する表示を更新するためにも用いられる。
【００４２】
ここで、電気泳動表示装置２１の物理的構成の概略について、図３〜図５を参照して説明する。図３は、電気泳動表示装置２１の正面図である。図４は、電気泳動表示装置２１のＩ−Ｉ線（図３）における矢視方向断面図であり、図５は、電気泳動表示装置２１のＩＩ−ＩＩ線（図３）における矢視方向断面図である。
【００４３】
図３〜図５に示すように電気泳動表示装置２１は、その下面部分に設けられる下部基板５０と、その上面部分に設けられる上部基板６０とが対向配置され、下部基板５０と上部基板６０との間に表示部７０を備える。尚、Ｉ−Ｉ線は、携帯型表示端末１の横方向（図１の左右方向）に平行な線を示し、ＩＩ−ＩＩ線は、縦方向（図１の上下方向）に平行な線を示す。尚、図３〜図５では、説明しやすいように、画素数を５×４の２０個としているが、実際には、必要に応じた画素数を設けることができる。
【００４４】
下部基板５０は、表示部７０に電界を発生させる下部電極５２と、下部電極５２の上面側に絶縁材料を塗布等して形成した絶縁膜である下部電極保護膜５１と、下部電極５２の下面側に設けられて携帯型表示端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。尚、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ｉ−Ｉ線方向）に平行に配設された、複数の電極を具備する基板である。
【００４５】
下部基板５０の上方向には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（ＩＩ−ＩＩ線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向から表示部７０を視認可能な表示基板として機能する。
【００４６】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成し、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【００４７】
また、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００４８】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００４９】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、電気泳動表示装置２１をその上方から見ると、マスク部４０に設けられた貫通孔から、表示部７０を視認することができる構成となっている。
【００５０】
次に、図６を参照して、携帯型表示端末１で電源オフ状態において表示させる情報を決定するための電源オフ表示テーブルについて説明する。図６は、携帯型表示端末１における電源オフ表示テーブルを示す説明図である。
【００５１】
電源オフ表示テーブルは、主に、電源オフ状態において表示する表示情報を示すテーブルである。電源オフ表示テーブルには、図６（ａ）に示すような電源オフ表示テーブル（本体）と、図６（ｂ）に示すような電源オフ表示テーブル（コンテンツ）と、が含まれている。電源オフ表示テーブル（本体）は、携帯型表示端末１の自体（本体）全般においてデフォルトとして設定されるテーブルであり、電源オフ表示テーブル（コンテンツ）は、電源オフ表示テーブル（本体）とは別に、コンテンツ毎に設定されるテーブルである。また、電源オフ表示テーブルは、携帯型表示端末１のＥＥＰＲＯＭ１８やメモリカード２３内に記憶されており、操作キー１４や外部端末２００の操作部２１４の操作に応じて設定可能である。電源オフ表示テーブルは、図６に示すように、設定対象と電源オフ時表示とが対応付けられて設定されている。
【００５２】
この設定の種類には、図６（ｂ）に示すコンテンツに対応する設定として本体設定が含まれている。本体設定は、電源オフ表示テーブル（コンテンツ）のみで設定可能であり、コンテンツにおけるデフォルト設定である。この本体設定は、上述した電源オフ表示テーブル（本体）の設定により決定する設定である。例えば、図６（ｂ）に示すように、電源オフ表示テーブル（コンテンツ）では、文書Ｈにおいて本体設定が設定されているが、これによって、図６（ａ）に示す電源オフ表示テーブル（本体）が参照され、文書Ｈが、情報１、情報２、情報３として設定されることが認識可能である。
【００５３】
また、複数種類の表示を行うことができる表示情報と、一種類の表示を行うことができる表示情報と、が一つのコンテンツに対応して設定可能である。具体的に、複数の種類を行うことができる表示情報としては、日にちによって表示が更新されるスケジュール（図８（ａ）、図８（ｂ）参照）、イベントに対するカウントダウン（図８（ｃ）参照）、カレンダ（図８（ｄ）参照）、時間によって表示が更新される天気予報（図８（ｅ）参照）などが含まれる。このため、例えば、図６に示す文書Ａ、文書Ｄ、文書Ｅ、文書Ｆに対しては、それぞれ一つの表示情報が対応付けられているため、複数種類の情報を表示可能（更新可能）となる。
【００５４】
また、一つのコンテンツに対応して複数の表示情報が対応付けることができる。例えば、図６（ａ）に示すような電源オフ表示テーブル（本体）や、図６（ｂ）に示すような電源オフ表示テーブル（コンテンツ）における文書Ｇのように、一種類の表示を行う表示情報であっても、一つのコンテンツに対応して複数の表示情報を対応付けることによって、複数種類の情報を表示可能（更新可能）となる。
【００５５】
このような電源オフ表示テーブルが記憶された携帯型表示端末１のＥＥＰＲＯＭ１８やメモリカード２３内には、主にコンテンツ情報が記憶されているが、上述した電源オフ時表示を行うための画像など、表示情報も記憶されている。また、これらの設定は、操作キー１４などの操作部の操作に応じて指定され、電源オフ状態のときに表示する複数の情報を記憶可能としている。つまり、これらＥＥＰＲＯＭ１８や、メモリカード２３は、表示情報記憶部の一例である。
【００５６】
次に、図７及び図８を参照して、電気泳動表示装置２１の表示内容について説明する。図７及び図８は、電気泳動表示装置２１にコンテンツが表示されている状態を示す説明図である。
【００５７】
電気泳動表示装置２１では、電源オン状態においては、図７（ａ）に示すようなメールの内容など、各種情報が表示される。この場合においては、電気泳動表示装置２１の表示領域下方には、ページ情報等が表示されている。
【００５８】
そして、このような電源オン状態で、電源ボタン１５の押下操作が行われたときや、操作キー１４の操作なく電源オフ設定時間が経過したときには、電源オン状態から電源オフ状態となるが、この場合において、図７（ｂ）に示すように、鯉のぼり画像が表示され、電気泳動表示装置２１の表示領域下方には、「電源オフしました」というメッセージが表示される。また、この鯉のぼり画像は、電源オフ状態となる直前に電気泳動表示装置２１に表示されていたコンテンツ情報に対応する情報である。
【００５９】
また、図７（ｂ）に示すような電源オフ状態において、電源ボタン１５の押下操作が行われたときや、電源オフ設定時間が経過した後に別の操作キー１４が操作されたときには、電源オフ状態から電源オン状態となり、図７（ｃ）に示すように、電気泳動表示装置２１の表示領域には、トップページが表示される。
【００６０】
また、図７（ｂ）に示すような電源オフ状態において、電源ボタン１５の押下操作が行われず、所定時間経過した場合には、図７（ｄ）に示すように、富士山画像などの異なる情報が表示されることがある。詳しくは後述するが、この場合においては、電源オフ状態から一時的に電源オン状態に移行させ、今まで表示していた情報から、予め設定された情報に切り替えることとなる。
【００６１】
また、図７（ｅ）に示すように、電源オフ設定時間、本体に対応する電源オフ時表示情報が表示され、操作キー１４の操作に応じて設定が可能である。尚、電源オン状態において、操作キー１４等の操作なく電源オフ設定時間が経過したときには、上述したように電源オン状態から電源オフ状態となる。また、図７（ｆ）に示すように、本体に対応する電源オフ時表示情報が複数設定されている場合には、それら複数の電源オフ時表示情報を切り替える表示画像変更時間が設定可能である。また、これら複数の電源オフ時表示情報の表示順序も設定可能である。尚、携帯型表示端末１においては、図７（ｆ）に示すように、本体に対応する電源オフ時表示情報が設定可能であるが、外部端末２００などの操作に応じて、コンテンツに対応する電源オフ時表示情報が設定可能である。
【００６２】
具体的には、図７（ｆ）に示すように設定されると、操作キー１４の操作がなく１５分経過した場合には、１番目に設定されている鯉のぼり画像を図７（ｂ）に示すように表示させる。そして、電源オン状態から電源オフ状態となる。その後、１０分経過した場合には、２番目に設定されている富士山画像を図７（ｄ）に示すように表示させる。そして、１０分経過後に、３番目に設定されている桜画像を表示させ、そのまた１０分後に１番目に設定されている鯉のぼり画像を表示させることとなる。
【００６３】
また、設定された電源オフ時表示情報としてスケジュールが設定されていた場合において、電源オフ状態に移行する際には、日にち情報に基づいて、図８（ａ）に示すように表示させる。そして、電源オフ状態が継続され、日にちが更新されるタイミングで、電源オフ状態から電源オン状態に一時的に移行し、その更新された日にち情報に基づいて図８（ｂ）に示すように表示させる。具体的な一例を挙げると、日付が変更されると、図８（ａ）に示すように３月１９日のスケジュール画像が表示された状態から、図８（ｂ）に示すように３月２０日のスケジュール画像が表示された状態となる。
【００６４】
また、例えば、図８（ｃ）に示すようなカウントダウン、図８（ｄ）に示すようなカレンダ、図８（ｅ）に示すような天気予報などが設定されると、同じように、所定のタイミングで、電源オフ状態から一時的に電源オフ状態となり、表示が切り替えられることとなる。カウントダウンやカレンダに関しては、スケジュールと同じように日にちの切り替わりのタイミングで表示が切り替わり、天気予報に関しては、数時間毎に表示が切り替わる。
【００６５】
また、表示させる情報として、図８（ｆ）に示すように広告情報をコンテンツ情報に対応付けて設定させてもよい。ここで、週間漫画雑誌等をコンテンツ情報として、漫画単行本の広告情報などをコンテンツ情報に対応する表示情報として採用した場合を具体的な一例として挙げる。この場合において、通信網を介してサーバ３００から、ユーザが所望とする週間漫画雑誌をダウンロードした場合に、その週間漫画雑誌に漫画単行本の広告情報が対応付けられて自動的にダウンロードされる。そして、電源オフ状態に移行する際に、その直前に週間漫画雑誌のコンテンツが表示されていた場合には、電源オフ状態において、週間漫画雑誌に対応する漫画単行本の広告情報が表示されることとなる。また、例えば、単行本の発売日となったタイミングで、単行本の発売日の広告情報が、単行本が発売中の広告情報に切り替わるようにしてもよい。
【００６６】
このように、表示情報が広告情報である場合には、広告情報を表示させる機会があるため、例えば、コンテンツ情報を購入する際に、広告情報が付加されている場合には、その購入額を低減させることができる。更には、そのコンテンツ情報に関連した広告情報を付加することによって、関連性を有する広告情報を表示させることができる。
【００６７】
次に、図９から図１４のフローチャートを参照して、携帯型表示端末１等の動作について説明する。図９から図１３は、携帯型表示端末１において実行される処理の動作を示すフローチャートであり、図１４は、外部端末２００において実行される処理の動作を示すフローチャートである。特に、図９に示すメイン処理は、携帯型表示端末１の電源がオンされた際に開始される。つまり、電源ボタン１５が押下される、又は、操作キー１４が押下された際に開始される。
【００６８】
まず、図９に示すように、メイン処理では、ＣＰＵ１０は、端末起動処理が行われる（ステップＳ１１）。ＣＰＵ１０は、詳しくは図１０を用いて後述するが、携帯型表示端末１の起動処理を実行することとなる。そして、ＣＰＵ１０は、電気泳動表示装置２１にトップページを表示する（ステップＳ１２）。これによって、ＣＰＵ１０は、図７（ｃ）に示すようにトップページを表示させる制御を行うこととなる。
【００６９】
次に、ＣＰＵ１０は、操作キー１４などの任意キーの押下操作があったか否かを判定する（ステップＳ５１）。ＣＰＵ１０は、任意キーの押下操作があったと判定した場合には（ステップＳ５１：ＹＥＳ）、ステップＳ５５に進み、任意キーの押下操作がなかったと判定した場合には（ステップＳ５１：ＮＯ）、電源オフ設定時間を計測するためにタイマ計測を開始し（ステップＳ５２）、ステップＳ５３に進む。
【００７０】
ステップＳ５３においても、ＣＰＵ１０は、操作キー１４などの任意キーの押下操作があったか否かを判定する。ＣＰＵ１０は、任意キーの押下操作があったと判定した場合には（ステップＳ５３：ＹＥＳ）、ステップＳ５５に進み、任意キーの押下操作がなかったと判定した場合には（ステップＳ５３：ＮＯ）、電源オフ設定時間が経過したか否かを判定する（ステップＳ５４）。ＣＰＵ１０は、電源オフ設定時間が経過したと判定した場合には（ステップＳ５４：ＹＥＳ）、ステップＳ６１に進み、ユーザ電源オフ設定が経過していないと判定した場合には（ステップＳ５４：ＮＯ）、再度、ステップＳ５３に進む。
【００７１】
ステップＳ５５において、ＣＰＵ１０は、電源ボタン１５が押下操作されたか否かを判定する。ＣＰＵ１０は、電源ボタン１５が押下操作されたと判定した場合には（ステップＳ５５：ＹＥＳ）、ステップＳ６６に進み、電源ボタン１５が押下操作されていないと判定した場合には（ステップＳ５５：ＮＯ）、その操作に対応する処理を実行し（ステップＳ５７）、再度、ステップＳ５１に進む。
【００７２】
これによって、電源オン状態において、任意キーの操作がなく電源オフ設定時間が経過した場合や、電源ボタン１５の操作があった場合には、ステップＳ６６に進むこととなる。
【００７３】
ステップＳ６６において、ＣＰＵ１０は、電源オフ時表示情報設定より表示情報を表示する。ＣＰＵ１０は、電源オン状態から電源オフ状態に移行する際に電気泳動表示装置２１に表示されていたコンテンツ情報に対応する電源オフ時表示情報を、電源オフ表示テーブル（図６参照）から読み出し、その電源オフ時表示情報を表示する。
【００７４】
また、このようなコンテンツ情報に対応する電源オフ時表示情報として、複数の情報が設定されている場合には、ＣＰＵ１０は、それら複数の情報のうち、最初の順番に設定されている情報を電気泳動表示装置２１に表示することとなる。
【００７５】
特に、コンテンツ情報に対応する電源オフ時表示情報が本体設定ではない場合には、ＣＰＵ１０は、電源オン状態から電源オフ状態へ移行する際に、記憶された複数の情報のうち、その移行直前の電源オン状態において電気泳動表示装置２１に表示している情報に関連する情報を電気泳動表示装置２１に表示することとなる。従って、ユーザが視認していた情報に関連する情報を表示することによって、電源オン状態と電源オフ状態とで関連性を持たせることができる。一方、コンテンツ情報に対応する電源オフ時表示情報が本体設定である場合には、ＣＰＵ１０は、携帯型表示端末１本体に設定されている電源オフ時表示情報を電気泳動表示装置２１に表示することとなる。
【００７６】
そして、ＣＰＵ１０は、フッタ（表示領域下方）に「電源オフしました」というメッセージを表示し（ステップＳ６７）、ステップＳ６８に進む。そして、ＣＰＵ１０は、端末停止処理が行われる（ステップＳ６８）。ＣＰＵ１０は、詳しくは図１１を用いて後述するが、携帯型表示端末１の停止処理を実行することとなり、携帯型表示端末１は、省電力モードとなる。
【００７７】
また、ステップＳ６８が終了した場合には、ステップＳ６９に処理を移す。ステップＳ６９においては詳しく図１４を用いて後述するが、ＣＰＵ１０は、電源オフ中処理を実行する。この処理において、ＣＰＵ１０は、表示間隔となった場合に、一時的に、電源オン状態に移行し、表示情報を切り替えて、再度、電源オフ状態に移行することとなる。この処理が終了した場合には、ステップＳ１１に処理を移すこととなる。
【００７８】
図９のステップＳ１１などで呼び出される端末起動処理では、まず、図１０に示すように、ＣＰＵ１０への電力供給が開始され（ステップＳ２１）、次いで周辺装置への電力供給が開始される（ステップＳ２２）。そして、周辺装置の初期化処理が行われ（ステップＳ２３）、ＣＰＵ１０においてシステムが起動される（ステップＳ２４）。このシステム起動により、それ以降のような処理が実行される。
【００７９】
図９のステップＳ６８などで呼び出される端末停止処理では、まず、図１１に示すように、ＣＰＵ１０は、周辺装置の電源供給停止を行い（ステップＳ２６）、ＣＰＵ１０の電源供給停止する（ステップＳ２７）。これによって、携帯型表示端末１は、省電力モードとなる。
【００８０】
図９のステップＳ６９で呼び出される電源オフ中処理では、まず、図１２に示すように、ＣＰＵ１０は、電源ボタン１５が押下されたか否かを判定する（ステップＳ２０１）。ＣＰＵ１０は、電源ボタン１５が押下されたと判定した場合には（ステップＳ２０１：ＹＥＳ）、本処理を終了し、図９のステップＳ１１に処理を移すこととなる。これによって、電源オフ状態において、電源ボタン１５を押下することによって、電源オン状態に移行されることとなる。一方、ＣＰＵ１０は、電源ボタン１５が押下されていないと判定した場合には（ステップＳ２０１：ＮＯ）、ステップＳ２０２に進む。
【００８１】
ステップＳ２０２において、ＣＰＵ１０は、更新時間が経過したか否かを判定する。この処理において、ＣＰＵ１０は、電気泳動表示装置２１に表示している表示情報に対応する更新時間を読み出し、更新時間が経過したか否かを判定することとなる。具体的には、ＣＰＵ１０は、表示させているコンテンツに対応付けてスケジュール、カウントダウン、カレンダが設定されている場合には、日にちを切り替えるタイミングで更新時間が経過したと判定し、表示させているコンテンツに対応付けて天気予報が設定されている場合には、数時間毎に更新時間が経過したと判定することとなる。また、ＣＰＵ１０は、コンテンツに対応付けられた表示情報に更新時間が設定されている場合には、その表示情報に対応する更新時間が経過したか否かを判定する。一方、ＣＰＵ１０は、コンテンツに対応付けられた表示情報に更新時間が設定されていない場合には、携帯型表示端末１本体に設定されている表示画像変更時間を更新時間として参照することとなる。
【００８２】
ＣＰＵ１０は、表示時間が経過していないと判定した場合には（ステップＳ２０２：ＮＯ）、再度、ステップＳ２０１に処理を移す。一方、ＣＰＵ１０は、表示時間が経過したと判定した場合には（ステップＳ２０２：ＹＥＳ）、ステップＳ２０３に処理を移す。
【００８３】
そして、ステップＳ２０３において、ＣＰＵ１０は、端末起動処理を実行し、携帯型表示端末１を起動させる。そして、ＣＰＵ１０は、図６に示す電源オフ表示テーブルや、表示情報自体における順序の設定より、更新する電源オフ時表示情報を作成し（ステップＳ２０４）、更新した電源オフ時表示情報を表示することとなる（ステップＳ２０５）。このように、ＣＰＵ１０は、表示時間が経過したタイミングで、電源オフ状態から電源オン状態に一時的に移行させ、表示していた情報を変更することとなる。
【００８４】
そして、ＣＰＵ１０は、フッタ（表示領域下方）に「電源オフしました」というメッセージを表示する（ステップＳ２０６）。そして、ＣＰＵ１０は、端末停止処理を行い（ステップＳ２０７）、再度、ステップＳ２０１に進む。
【００８５】
これによって、ＣＰＵ１０は、電源オフ状態のときにおいて、予め設定されている時間又は期間を所定のタイミングとして、繰り返し電源オフ状態から電源オン状態に移行して、電気泳動表示装置２１に表示する情報を変更することとなる。また、この情報は、複数の情報から選択された情報であり、特に、コンテンツ情報や本体設定に基づいて選択される。
【００８６】
従って、電源オフ状態であっても、所定のタイミングで電源オン状態に移行して、表示させる情報を変更させることができ、電源オフ状態において表示させる情報にバリエーションを増大させることができる。また、電源オフ状態においても、複数の情報からいずれかを選択することができ、電源オフ状態において表示させる情報にバリエーションを増大させることができる。
【００８７】
更にまた、情報を変更させるタイミングを、予め時間又は期間として設定するため、ユーザに時間又は期間を認識させることができ、更に、例えば、スケジュール、カレンダ、カウントダウン等、時間又は期間毎に変更することによって、利便性も高い。
【００８８】
次に、図１３に示すように、電源オン状態の携帯型表示端末１において所定操作で呼び出される電源オフ設定処理では、ＣＰＵ１０は、操作キー１４などの任意キーの押下操作に応じて、電源オフ設定時間の設定選択操作があったか否かを判定する（ステップＳ１０１）。ＣＰＵ１０は、電源オフ設定時間の設定選択操作があったと判定した場合には（ステップＳ１０１：ＹＥＳ）、その設定選択操作に応じて、経過時間によって電源オフとするか否かを判定する（ステップＳ１０２）。ＣＰＵ１０は、経過時間によって電源オフとすると判定した場合には（ステップＳ１０２：ＹＥＳ）、電源オフ設定時間を、操作に応じた設置値に設定し（ステップＳ１０３）、ステップＳ１０５に進む。一方、ＣＰＵ１０は、経過時間によって電源オフとしないと判定した場合には（ステップＳ１０２：ＮＯ）、電源オフ設定時間を設定せず（ステップＳ１０４）、ステップＳ１０５に進む。また、ＣＰＵ１０は、電源オフ設定時間の設定選択操作がなかったと判定した場合には（ステップＳ１０１：ＮＯ）、ステップＳ１０５に進む。
【００８９】
次に、ＣＰＵ１０は、操作キー１４などの任意キーの押下操作に応じて、電源オフ表示の設定選択操作があったか否かを判定する（ステップＳ１０５）。ＣＰＵ１０は、電源オフ表示の設定選択操作があったと判定した場合には（ステップＳ１０５：ＹＥＳ）、その設定選択操作に応じて、電源オフ表示の設定を行うか否かを判定する（ステップＳ１０６）。ＣＰＵ１０は、電源オフ表示の設定を行うかと判定した場合には（ステップＳ１０６：ＹＥＳ）、ステップＳ１０７に進む。一方、ＣＰＵ１０は、電源オフ表示の設定選択操作がなかったと判定した場合や（ステップＳ１０５：ＮＯ）、電源オフ表示の設定を行わないと判定した場合には（ステップＳ１０６：ＮＯ）、本処理を終了する。
【００９０】
ステップＳ１０７において、ＣＰＵ１０は、電源オフ時に表示する情報を選択し、図６（ａ）に示すような電源オフ表示テーブル（本体）に、本体設定として登録し（ステップＳ１０８）、再度、ステップＳ１０６に進む。これによって、ＣＰＵ１０は、操作キー１４などの操作部の操作に応じて指定された一又は複数の情報（例えば、情報１、情報２、情報３など）を選択し、電源オフ表示テーブルに記憶することとなる。また、この情報には、直前に表示されていた情報を消去させる白紙表示が含まれていてもよい。
【００９１】
次に、図１４に示すように、外部端末２００において所定操作で呼び出される電源オフ設定処理では、外部端末におけるＣＰＵ２１０は、操作部２１４の操作に応じて、電源オフ表示の設定選択操作があったか否かを判定する（ステップＳ１１１）。ＣＰＵ２１０は、電源オフ表示の設定選択操作があったと判定した場合には（ステップＳ１１１：ＹＥＳ）、その設定選択操作に応じて、設定するコンテンツを選択する（ステップＳ１１２）。そして、ＣＰＵ２１０は、選択コンテンツがあるか否かを判定する（ステップＳ１１３）。ＣＰＵ２１０は、設定選択操作に応じて選択された選択コンテンツがあると判定した場合には（ステップＳ１１３：ＹＥＳ）、ステップＳ１１４に進む。一方、ＣＰＵ２１０は、電源オフ表示の設定選択操作がなかったと判定した場合や（ステップＳ１１１：ＮＯ）、選択コンテンツがないと判定した場合には（ステップＳ１１３：ＮＯ）、本処理を終了する。
【００９２】
ステップＳ１１４において、ＣＰＵ２１０は、電源オフ時に表示する情報を選択し、図６（ｂ）に示すような電源オフ表示テーブル（コンテンツ）に、コンテンツ毎の設定として登録する（ステップＳ１１５）。そして、ＣＰＵ２１０は、その登録した情報をコンテンツと関連付けてメモリカード２３に記憶し、再度、ステップＳ１１２に進む。これによって、ＣＰＵ２１０は、操作部２１４の操作に応じて指定された一又は複数の情報（例えば、情報１、情報２、情報３など）を、移行直前の電源オン状態において表示しているコンテンツ（情報）に関連する情報として選択し、電源オフ表示テーブルに記憶することとなる。これによって、ＣＰＵ２１０は、操作部２１４の操作に応じて、電源オフ時に表示する情報をコンテンツに関連付けてメモリカード２３に記憶することとなり、このメモリカード２３を読み取る携帯型表示端末１のＣＰＵ１０は、電源オン状態から電源オフ状態へ移行する際に表示しているコンテンツ（情報）に関連する情報（例えば、情報１、情報２、情報３など）を表示することとなる。
【００９３】
以上のようにして、本実施の形態の携帯型表示端末１では、電源オフ状態のときにおいて、所定のタイミングで繰り返し電源オフ状態から電源オン状態に移行して不揮発性表示部に表示する情報を変更する。従って、電源オフ状態であっても、所定のタイミングで電源オン状態に移行して、表示させる情報を変更させることができ、電源オフ状態において表示させる情報にバリエーションを増大させることができる。
【００９４】
尚、上記実施の形態におけるＣＰＵ１０は、「制御部」に相当し、電気泳動表示装置２１は、「不揮発性表示部」に相当し、操作キー１４は、「操作部」に相当し、ＥＥＰＲＯＭ１８、メモリカード２３は、「表示情報記憶部」に相当する。
【００９５】
尚、本発明の携帯型表示端末１は、上記した実施の形態に限定されるものではなく、本発明の要旨を逸脱しない範囲内において種々変更を加え得ることは勿論である。
【００９６】
上述した実施形態においては、携帯型表示端末１において、図６（ａ）に示すような電源オフ表示テーブル（本体）を更新し、携帯型表示端末１とは異なる外部端末２００において、図６（ｂ）に示すような電源オフ表示テーブル（コンテンツ）を更新したが、これに限らず、例えば、携帯型表示端末１自体で図６（ｂ）に示すような電源オフ表示テーブル（コンテンツ）を更新してもよい。また、例えば、外部端末２００において、図６（ａ）に示すような電源オフ表示テーブル（本体）を更新してもよい。
【００９７】
また、上述した実施形態においては、携帯型表示端末１の本体として、更には、コンテンツ毎に、予め設定された情報を設定可能としたが、これに限らず、例えば、コンテンツの種別毎、コンテンツが格納されているフォルダ毎、コンテンツの名前別（具体的にはあ行など）、コンテンツの機密情報チェック有無、コンテンツのセキュリティレベル、電源オフ状態となる際における時間などに対して、予め設定された情報を設定可能としてもよい。
【００９８】
このような実施形態について図１５を用いて以下に説明する。尚、本実施形態においては、発明の理解を容易とするために、異なる構成、処理について主に説明をし、同じような構成、処理については説明を省略する。
【００９９】
図１５を参照して、携帯型表示端末１で電源オン状態から電源オフ状態に移行する場合において、電源オフ状態で表示させる情報を決定するための電源オフ表示テーブルについて説明する。図１５は、携帯型表示端末１における電源オフ表示テーブルを示す説明図である。
【０１００】
電源オフ表示テーブルには、図１５（ａ）に示すような電源オフ表示テーブル（本体）と、図１５（ｂ）に示すような電源オフ表示テーブル（コンテンツ）と、図１５（ｃ）に示すような電源オフ表示テーブル（時間）と、が含まれている。電源オフ表示テーブル（本体）は、携帯型表示端末１の自体（本体）全般においてデフォルトとして設定されるテーブルであり、電源オフ表示テーブル（コンテンツ）は、電源オフ表示テーブル（本体）とは別に、コンテンツ毎、コンテンツの種別毎、コンテンツが格納されているフォルダ毎、コンテンツの名前毎、コンテンツの機密情報チェック有無、コンテンツのセキュリティレベルに対応して設定されるテーブルであり、電源オフ表示テーブル（時間）は、ある情報における時間毎に設定されるテーブルである。電源オフ表示テーブルは、図１５に示すように、属性と設定対象と電源オフ時表示情報とが対応付けられて設定されている。
【０１０１】
図１５（ｂ）に示すように、属性には、コンテンツ、コンテンツの種別、コンテンツが格納されているフォルダ、コンテンツ名称、機密情報チェック、セキュリティレベルなどが含まれており、それら毎に電源オフ時表示情報が設定可能である。コンテンツの種別とは、コンテンツのファイル形式や、コンテンツのジャンル（スポーツ、政治、経済など）などで分類が可能である。コンテンツ名称は、例えば、“Ａ”から始まるファイル名、ア行から始まるファイル名という分類が可能である。機密情報チェックは、予めコンテンツに機密情報が付加されているか否かによって分類が可能である。セキュリティレベルは、予めコンテンツに付加されたセキュリティレベルによって分類が可能である。これによって、図１４のステップＳ１１２において、コンテンツ毎だけではなく、他の要素毎でも、電源オフ時表示情報として情報を関連付けることができる。
【０１０２】
このように、表示している情報に関連する情報は、その情報が記憶されているフォルダに格納されている情報、又は、その情報と同じ情報種別の情報である。従って、表示している情報が記憶されているフォルダに格納されている情報、又は、その情報と同じ情報種別の情報に関連する情報を表示させることができ、そのフォルダや情報種別毎に、関連する情報を設定可能であり、簡便である。
【０１０３】
また、通信網を介してサーバ３００などに対して、コンテンツ情報やそれに対応する表示情報をダウンロードするタイミングで、電源オン状態に一時的に移行し、表示情報を変更するようにしてもよい。また、新規にコンテンツ情報や表示情報をダウンロードするものだけではなく、例えば、コンテンツ情報や表示情報の更新用のダウンロードであってもよい。
【０１０４】
このような実施形態について、図１６を用いて以下に説明する。尚、本実施形態においては、発明の理解を容易とするために、異なる構成、処理について主に説明をし、同じような構成、処理については説明を省略する。
【０１０５】
携帯型表示端末１において、図９のステップＳ６９で呼び出される電源オフ中処理では、まず、図１６に示すように、ＣＰＵ１０は、電源ボタン１５が押下されたか否かを判定する（ステップＳ２５０）。ＣＰＵ１０は、電源ボタン１５が押下されたと判定した場合には（ステップＳ２５０：ＹＥＳ）、電源オフ状態にする前に図１５に示すようなテーブルなどの各種情報を更新し、本処理を終了し、図９のステップＳ１１に処理を移すこととなる。これによって、電源オフ状態において、電源ボタン１５を押下することによって、電源オン状態に移行されることとなる。一方、ＣＰＵ１０は、電源ボタン１５が押下されていないと判定した場合には（ステップＳ２５０：ＮＯ）、ステップＳ２５１に進む。
【０１０６】
ステップＳ２５１において、ＣＰＵ１０は、ステップＳ２０２と同じように、更新時間が経過したか否かを判定する。この処理において、ＣＰＵ１０は、電気泳動表示装置２１に表示している表示情報に対応する更新時間を読み出し、更新時間が経過したか否かを判定することとなる。
【０１０７】
ＣＰＵ１０は、表示時間が経過していないと判定した場合には（ステップＳ２５１：ＮＯ）、再度、ステップＳ２５０に処理を移す。一方、ＣＰＵ１０は、表示時間が経過したと判定した場合には（ステップＳ２５１：ＹＥＳ）、ステップＳ２５３に処理を移す。
【０１０８】
そして、ＣＰＵ１０は、端末起動処理を実行し（ステップＳ２５３）、更新要求情報をサーバ３００に送信する（ステップＳ２５４）。
【０１０９】
一方、サーバ３００において、ＣＰＵ３１０は、更新する表示情報があるか否かを判定する（ステップＳ３０１）。ここでいう更新する表示情報とは、例えば、少なくとも表示情報を更新する情報であればよく、表示情報とともにコンテンツ情報も更新するようなものも含む。ＣＰＵ３１０は、更新する表示情報があると判定した場合には（ステップＳ３０１：ＹＥＳ）、ステップＳ３０３に処理を移す。一方、ＣＰＵ３１０は、更新する表示情報がないと判定した場合には（ステップＳ３０１：ＮＯ）、再度、ステップＳ３０１に処理を移す。このように、更新する表示情報があるか否かが逐次監視されることとなる。
【０１１０】
そして、サーバ３００において、ＣＰＵ３１０は、更新する表示情報があり、携帯型表示端末１から更新要求を受信した場合には（ステップＳ３０３）、更新する表示情報やコンテンツ情報など、更新情報を送信する（ステップＳ３０４）。この場合においては、例えば、コンテンツ情報自体は更新しなくても、表示情報が更新されるものであってもよく、もちろん、コンテンツ情報自体も更新されてもよい。この処理が終了した場合には、後述する受信完了の受信を待ち（ステップＳ３０５）、再度、ステップＳ３０１に進む。
【０１１１】
携帯型表示端末１において、ＣＰＵ１０は、サーバ３００から更新する表示情報やコンテンツ情報など、更新情報を受信し（ステップＳ２５５）、受信完了情報をサーバ３００に送信する（ステップＳ２５６）。
【０１１２】
そして、ＣＰＵ１０は、更新した電源オフ時表示情報を表示する。この処理において、ＣＰＵ１０は、図６に示す電源オフ表示テーブルを参照し、受信した更新情報を更新する。そして、ＣＰＵ１０は、更新前の表示情報やコンテンツ情報を、更新後の表示情報やコンテンツ情報として表示を切り替えることとなる。
【０１１３】
そして、ＣＰＵ１０は、フッタ（表示領域下方）に「電源オフしました」というメッセージを表示する（ステップＳ２５８）。そして、ＣＰＵ１０は、端末停止処理を行い（ステップＳ２５９）、再度、ステップＳ２０１に進む。
【０１１４】
このように、ＣＰＵ１０は、所定のタイミングで電源オフ状態から電源オン状態に移行した後に、電気泳動表示装置２１に表示する情報が記憶されたサーバ３００に変更する情報の取得を要求して、サーバ３００から変更する情報を取得し、電気泳動表示装置２１に表示する情報を変更することとなる。
【０１１５】
従って、サーバ３００への要求によって、変更する情報を取得し、電気泳動表示装置２１に表示する情報を変更することとなり、サーバ３００において記憶されている情報にも変更可能となり、電源オフ状態において表示させる情報にバリエーションを増大させることができ、更に簡便である。
【０１１６】
また、上述した実施形態においては、携帯型表示端末１からサーバ３００に要求を行うことによって、電源オフ状態における表示を変更させたが、これに限らず、例えば、サーバ３００から携帯型表示端末１に要求を行うことによって、電源オフ状態における表示を変更させてもよい。
【０１１７】
このような実施形態について、図１７を用いて以下に説明する。尚、本実施形態においては、発明の理解を容易とするために、異なる構成、処理について主に説明をし、同じような構成、処理については説明を省略する。
【０１１８】
携帯型表示端末１において、図９のステップＳ６９で呼び出される電源オフ中処理では、まず、図１７に示すように、ＣＰＵ１０は、電源ボタン１５が押下されていないと判定した場合には（ステップＳ２５１：ＮＯ）、サーバから起動要求があったか否かを判定する（ステップＳ２６０）。
【０１１９】
一方、サーバ３００において、更新する表示情報があると判定した場合には（ステップＳ３０１：ＹＥＳ）、その表示情報を送信する端末を決定する。この場合において、ＣＰＵ３１０は、更新する前の表示情報を送信した履歴を参照し、表示情報を送信する端末を決定することとなる。そして、ＣＰＵ３１０は、表示情報を送信する携帯型表示端末１に起動要求を送信する（ステップＳ３０２）。
【０１２０】
携帯型表示端末１において、ＣＰＵ１０は、サーバ３００から起動要求を受信し（ステップＳ２５２）、起動要求を受信したと判定した場合には（ステップＳ２６０：ＹＥＳ）、上述した実施形態と同じようにステップＳ２５３に処理を移す。
【０１２１】
これによって、ＣＰＵ１０は、電源オフ状態のときにおいて、電気泳動表示装置２１に表示する情報が記憶されたサーバ３００（外部装置）から、変更する情報を受信した場合に所定のタイミングとなったと判定して、電源オフ状態から電源オン状態に移行してその変更する情報を取得し、電気泳動表示装置２１に表示する情報を変更することとなる。
【０１２２】
従って、サーバ３００からの情報の受信によって、変更する情報を取得し、電気泳動表示装置２１に表示する情報を変更することとなり、サーバ３００において記憶されている情報にも変更可能となり、電源オフ状態において表示させる情報にバリエーションを増大させることができ、更に簡便である。
【０１２３】
尚、上述した実施形態においては、メモリカード２３にコンテンツ情報を格納させたが、これに限らず、例えば、ＵＳＢなどを介して、携帯型表示端末１におけるＥＥＰＲＯＭ１８にコンテンツ情報を格納させてもよい。
【図面の簡単な説明】
【０１２４】
【図１】携帯型表示端末１の正面図である。
【図２】携帯型表示端末１及び外部端末２００の電気的構成を示す模式図である。
【図３】電気泳動表示装置２１の正面図である。
【図４】電気泳動表示装置２１のＩ−Ｉ線（図２）における矢視方向断面図である。
【図５】電気泳動表示装置２１のＩＩ−ＩＩ線（図２）における矢視方向断面図である。
【図６】携帯型表示端末１における電源オフ表示テーブルを示す説明図である。
【図７】電気泳動表示装置２１にコンテンツが表示されている状態を示す説明図である。
【図８】電気泳動表示装置２１にコンテンツが表示されている状態を示す説明図である。
【図９】携帯型表示端末１において実行される処理の動作を示すフローチャートである。
【図１０】携帯型表示端末１において実行される処理の動作を示すフローチャートである。
【図１１】携帯型表示端末１において実行される処理の動作を示すフローチャートである。
【図１２】携帯型表示端末１において実行される処理の動作を示すフローチャートである。
【図１３】外部端末２００において実行される処理の動作を示すフローチャートである。
【図１４】携帯型表示端末１において実行される処理の動作を示すフローチャートである。
【図１５】携帯型表示端末１における電源オフ表示テーブルを示す説明図である。
【図１６】携帯型表示端末１とサーバ３００において実行される処理の動作を示すフローチャートである。
【図１７】携帯型表示端末１とサーバ３００において実行される処理の動作を示すフローチャートである。
【符号の説明】
【０１２５】
１    携帯型表示端末
１０  ＣＰＵ
１４  操作キー
１５  電源ボタン
１６  ＲＯＭ
１８  ＥＥＰＲＯＭ
１９  ＲＴＣ
２１  電気泳動表示装置
２２  バッテリ
２３  メモリカード
【図１】
2010039372.tif 000003
【図２】
2010039372.tif 000004
【図３】
2010039372.tif 000005
【図４】
2010039372.tif 000006
【図５】
2010039372.tif 000007
【図６】
2010039372.tif 000008
【図７】
2010039372.tif 000009
【図８】
2010039372.tif 000010
【図９】
2010039372.tif 000011
【図１０】
2010039372.tif 000012
【図１１】
2010039372.tif 000013
【図１２】
2010039372.tif 000014
【図１３】
2010039372.tif 000015
【図１４】
2010039372.tif 000016
【図１５】
2010039372.tif 000017
【図１６】
2010039372.tif 000018
【図１７】
2010039372.tif 000019